(57)【要約】【課題】従来の技術では、運用者の状態にかかわらず音声の再生が行われ、運用者が移動局無線機からはなれている場合や再生された音声を聞き逃した場合には、運用者は重要なメッセージを正しく受け取ることができなかった。【解決手段】基地局無線機と複数の移動局無線機とを有するデジタル無線システムにおいて、上記基地局無線機は、送信するデータに重要度を示す情報を送信する手段および音声データを送信する手段とを有し、上記移動局無線機は、上記重要度を示す情報を検出する手段と、上記重要度を示す情報の検出手段の出力に基づいて上記音声データを記録する手段とを有する。【選択図】図１
2005057364.tif 000002
【特許請求の範囲】
【請求項１】
基地局無線機と複数の移動局無線機とを有するデジタル無線システムにおいて、上記基地局無線機は、送信するデータに重要度を示す情報を送信する手段および音声データを送信する手段とを有し、上記移動局無線機は、上記重要度を示す情報を検出する手段と、上記重要度を示す情報の検出手段の出力に基づいて上記音声データを記録する手段とを有することを特徴とするデジタル無線システム。
【発明の詳細な説明】
【０００１】
【発明の属する技術分野】
本発明は、デジタル無線システムおよびデジタル無線機に関し、特に、デジタル無線システムにおける一斉通報時に使用するデジタル無線システムおよびデジタル無線機の改良に関するものである。
【０００２】
【従来の技術】
現在、実用化されているデジタル無線通信システムは、図７に示すように基地局７０１と基地局７０１の通信エリア７０２（あるいは通信ゾーンとも言われる。）内にある複数の移動局Ｍ１、Ｍ２、・・・（なお、移動局を総称する場合は、移動局Ｍと呼ぶことにする。）との通信接続サービス、あるいは、移動局Ｍと通信エリア７０２の外に有る移動局ｍ１、ｍ２、・・・との通信接続サービスが行なわれるように構成されたシステムである。なお、図７では、移動局Ｍ１とｍ１のみ示してある。
【０００３】
図７において基地局７０１には、上りと下りの無線周波数がペアで割り当てられており、基地局７０１から送信される送信波を下り波Ｆ１、移動局Ｍ１から基地局７０１へ送信される送信波を上り波ｆ１と呼ぶことにする。これら上りと下りのペア波を用いて、基地局７０１と移動局Ｍ１間あるいは基地局７０１を経由した移動局Ｍ１と移動局ｍ１間の通信を行う。また通信エリア７０２内は、基地局７０２の運用エリアである。また、移動局Ｍ１と通信エリア７０２の外に有る移動局ｍ１との間の通信は、移動局間直接通信が行われる。このようなシステムは、ＳＣＰＣ方式（Ｓｉｎｇｌｅ  Ｃｈａｎｎｅｌ  Ｐｅｒ  Ｃａｒｒｉｅｒ）周波数分割多元接続（ＦＤＭＡ：Ｆｒｅｑｕｅｎｃｙ  Ｄｉｖｉｓｉｏｎ  Ｍｕｌｔｉｐｌｅ  Ａｃｃｅｓｓ）の１つで、１音声チャンネル当たり１搬送波を割り当てる方式である。
【０００４】
而して、日本におけるデジタル無線技術を用いた、例えば、地域防災システムを含む狭帯域デジタルシステムに使用が許可されている無線キャリア（ｃａｒｒｉｅｒ）周波数割当てを図８に示す。図８において、上り方向、即ち、移動局→基地局の方向では、２６２ＭＨｚを基準にして、４ＭＨｚ帯を２５ＫＨｚ巾で、１６０波（ｆ１、ｆ２、・・・）が認められている。また、下り方向、即ち、制御局→移動局の方向では、上り方向の２６２ＭＨｚから９ＭＨｚ離れた２７１ＭＨｚを基準にして、４ＭＨｚ帯を２５ＫＨｚ巾で、１６０波（Ｆ１、Ｆ２、・・・）が認められている。従って、デジタル無線通信システムの通信においては、上り方向ｆ１、ｆ２、・・・、下り方向Ｆ１、Ｆ２、・・・の各周波数のいずれか１波が使用される。そして、各システムは、その規模に応じて１又は複数の無線キャリアを制御用キャリアとし、残りを通信用キャリアとして使用することができる。なお、日本におけるデジタル無線システムにおける規格は、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）Ｓｔａｎｄａｒｄ  Ｔ６１  （発行元  社団法人  電波産業会）（以下、ＡＲＩＢ  ＳＴＤ  Ｔ６１と略称する）に定められている。
【０００５】
次に、上述したデジタル無線通信システムに用いられる従来の移動局のデジタル無線機について図９を用いて説明する。図９は、移動局のデジタル無線機のブロック構成を示す図である。基地局７０１からの音声信号は、アンテナ９０１で受信され、ＲＦ部（高周波部）９０２で周波数変換され、不要成分の除去、増幅処理が施された後、復調部９０３に印加される。復調部９０３では、音声データに変換され、チャネルコーデック部９０４で、後述するデータフレーム構成から音声再生に必要な音声データを取出し、取出された音声データは、音声コーデック部９０５に入力される。音声コーデック部９０５では、入力されたデジタルデータを音声にデコードし、音声出力部９０６に印加され、音声出力部９０６から音声として出力される。なお、９０７は、システム制御部であり、上述したデジタル無線機の各部の動作を制御する。９０８は、キー入力部であり、相手先番号入力や種々の設定用入力をするために使用される。９０９および９１０は、ＬＥＤ表示部およびＬＣＤ表示部で、送受信のための各種表示を行う。なお、上記説明では、アンテナ９０２からの受信信号の復調について説明したが、図９は、送信機の機能も有しており、音声入力部９０６からの音声が適宜処理され、アンテナ９０１から送信されることは、従来のデジタル無線機と同様であるので、詳細な説明は省略する。
【０００６】
上述したデジタル無線機の構成では、移動局無線機の使用者の状態にかかわらず、音声の再生が行われる。従って、利用者が移動局無線機から離れている場合や再生された音声を聞き逃した場合に利用者は、メッセージを受け取ることが出来ない。特に、防災無線システムのようにメッセージの重要度が高い一斉通信（一斉通報）などの場合には、運用上の問題があった。
【０００７】
【特許文献】
特に、見当たらない。
【０００８】
【発明が解決しようとする課題】
従来の技術では、利用者が不在の場合、重要なメッセージを受け取ることができなかたり、聞き漏らす等の問題であった。
【０００９】
本発明の目的は、重要度の高いメッセージの記録機能を有するデジタル無線システムおよびデジタル無線機を提供することにある。
【００１０】
【課題を解決するための手段】
本発明のデジタル無線システムは、基地局無線機と複数の移動局無線機とを有するデジタル無線システムにおいて、上記基地局無線機は、送信するデータに重要度を示す情報を送信する手段および音声データを送信する手段とを有し、上記移動局無線機は、上記重要度を示す情報を検出する手段と、上記重要度を示す情報の検出手段の出力に基づいて上記音声データを記録する手段とを有するように構成される。
【００１１】
本発明のデジタル無線システムにおいて、上記基地局無線機から上記移動局無線機への一斉通報に同期バーストを用いて通信し、上記同期バーストに上記重要度を示す情報を含めるように構成される。
【００１２】
また、本発明のデジタル無線機は、基地局無線機から送られてくる重要度を示す情報を検出する手段と、上記基地局無線機から送られてくる音声データを記録する記録装置と、上記重要度を示す情報を検出する手段からの信号に基づいて上記音声データの記録を制御する手段および上記記録装置に記録された音声データを再生する手段とから構成される。
【００１３】
また、本発明のデジタル無線機において、更に、上記重要度を示す情報を視覚的に表示する手段、振動により伝える手段、音により伝える手段の少なくともいずれか１つを有し、上記重要度を示す情報を検出する手段からの信号に基づいて制御されるように構成される。
【００１４】
【発明の実施の形態】
本発明の一実施例を図１および図２を用いて詳細に説明する。なお、図９と同じものには、同じ符号が付されている。図１は、本発明で使用される移動局無線機、例えば、移動局無線機Ｍ１の送受信機を示す。１０１は、メッセージを記録するための音声メモリで、半導体メモリ、例えば、揮発性メモリや不揮発性メモリ（ＥＰＲＯＭ：Ｅｒａｓａｂｌｅ  Ｐｒｏｇｒａｍｍａｂｌｅ  Ｒｅａｄ−ｏｎｌｙ  Ｍｅｍｏｒｙ）の他、磁気記録装置、例えば、磁気デスクや、磁気テープ、光磁気（ＭＯ：Ｍａｇｎｅｔ  Ｏｐｔｉｃａｌ）記録装置等の各種記録装置が使用可能である。１０２は、振動モータ部で、重要メッセージの着信を振動により利用者に伝える。１０３は、ブザー部で、重要メッセージの着信を音で利用者に伝える。
【００１５】
また、図２は、基地局７０１の制御卓２０１を示す。基地局７０１は、移動局Ｍとの通信のために送受信機を備えているが、この送受信機の構成は、図９に示す移動局Ｍの無線機と大略同じ構成であるので、詳細な説明は、省略してある。
なお、基地局７０１の制御卓２０１は、システム制御部９０７と接続され、基地局の必要な機能を果たせるように構成されている。
【００１６】
まず、基地局の運用者は、重要度の高い一斉通信を始める前に、重要度が高いことを移動局の無線機に知らせる為に、図２で示した非重要ボタン２０２／重要ボタン２０３の切替えボタンを重要側に設定する。その上で、一斉ボタン２０４を押し、プレストークボタンＰＴＴ２０５を押し、マイク２０６で、メッセージを通報するための通話を開始する。
【００１７】
ここで基地局７０１および移動局Ｍ間の重要度の高い一斉通信について、その動作を図３および図４を用いて説明する。図３は、基地局７０１および移動局Ｍ間の一斉通信の動作フローを示す図であって、基地局７０１は、移動局Ｍに対して常時空線信号（一種の同期信号）３０１を、例えば、４０ｍｓｅｃ間隔で送信している。この状態で基地局７０１の制御卓２０１の切替ボタンの重要ボタン２０３をオンし、一斉ボタン２０４を押し、プレストークボタンＰＴＴ２０５をオンする。この動作により基地局７０１は、移動局Ｍに同期信号３０２、所謂、同期バーストが送信される。この同期バーストは、移動局Ｍが確実に一斉通報が受信できるように通常１回以上送信される。
【００１８】
この同期バーストについて図４を用いて説明する。図４（ａ）は、ＡＲＩＢ  ＳＴＤ  Ｔ６１で定めている下りの同期バーストのフレーム構成を示すもので、ＬＰは、リニアライザ用プリアンブル、Ｒは、バースト過渡応答用ガードタイム、Ｐｂは、プリアンブル、ＲＩは、無線情報チャネル（ＲＩＣＨ）、ＳＷは、同期ワード、ＰＩは、パラメータ情報チャネル（ＰＩＣＨ）、Ｇは、ガードタイムである。また、それぞれのブロックの下に示す数字は、ビット数を示している。また、図４（ｂ）は、パラメータ情報チャネルＰＩの内容を示すもので、Ｂは、バースト識別ビットを表し、このバースト識別ビットＢ以外のエリアは、未定義エリアとして利用者が適宜使用することが可能なエリアである。
【００１９】
而して、本発明では、上記一斉通報で使用さる下りの同期バーストを用いて重要度を示す信号を送信し、これを受信した受信機は、後述するように一斉通報されるメッセージ情報を保存するように制御される。この重要度を示す信号を送信するには、上述した同期バーストのフレーム構成の中で同期ワードＳＷあるいはパラメータ情報チャネルＰＩが使用できる。例えば、同期ワードＳＷを使用する場合には、同期ワードＳＷのパターンを変えて重要なメッセージであることを示すこともできるが、ここではパラメータ情報チャネルＰＩを用いて送信することについて以下に説明する。
【００２０】
図４（ｃ）は、本発明で使用するパラメータ情報チャネルＰＩの内容を更に詳細に説明する図である。図４（ｃ）において、Ｂは、バースト識別ビット、メッセージ種別として例えば、一斉通報なら“００００００００”で表示される。重要／非重要は、重要なら“０００”、非重要なら“１００”を表示する等である。ＳＳＣは、スーパフレーム同期カウンタである。この図４（ｃ）に示すパラメータ情報チャネルの内容は、畳み込み符号化されて、パラメータ情報チャネルＰＩとなる。従って、前述したように基地局７０１から一斉通報で重要なメッセージを送信する場合、基地局７０１の制御卓２０１の重要ボタン２０３をオンすると、同期バーストのパラメータ情報チャネルＰＩの重要／非重要を示すエリアに重要度を示す（０００）のビットが挿入され受信側に送られる。
【００２１】
即ち、指令卓２０１から重要の設定を受けたシステム制御部（図示せず。）は、空線信号３０１の送信から同期信号３０２の送信に変更し、同期バーストの発信を開始する。この同期バーストには、これから送る一斉音声の重要度が高いことを表す重要（０００）のビットが添付されて、移動局Ｍに送られる。この同期バースト（同期信号３０２）は、図３に示されるように音声信号３０４の前に所定の回数分移動局Ｍに送られる。
【００２２】
而して、図１に示す移動局Ｍの無線機では、上述したように常時基地局７０１からの空線信号３０１をアンテナ９０１、ＲＦ部９０２および変復調部９０３を介してチャネルコーデック部９０４から受けていたシステム制御部９０７は、空線信号３０１から変更された同期信号３０２、即ち、同期バーストを受信することになる。チャネルコーデック部９０４では、同期バーストからガードタイム、同期ワード等の情報送信に必要な情報は、除外し、例えば、ＰＩが抜き出されシステム制御部９０７に送られる。システム制御部９０７では、送られてきたＰＩの内容を解析し、その中に一斉音声の重要度が高いことを表す重要度を示すビット（０００）が存在すると、これを検出する。結果として、システム制御部９０７は、同期信号３０２を受信することになり、次に重要度が高い音声信号３０４が送られてくることを認識する。
【００２３】
重要度が高い一斉通信であることを認識したシステム制御部９０７は、チャネルコーデック部９０４および音声メモリ１０１を制御する。即ち、チャネルコーデック部９０４に音声信号３０４を受信する指示を出すと共に音声データを音声メモリ１０１へ蓄積する為にフレーム中の所定位置の音声データを音声メモリ１０１に対して出力するように指示を出す。音声コーデック部９０５は、音声データを復号し、音声入出力部９０６から音声メッセージを出力する。また、同時に運用者に対して、音声データが重要度が高い一斉通信であることを知らせる為に、ＬＣＤ表示部９１０およびＬＥＤ表示部９０９に表示する。なお、本実施例では、コード化された音声データが音声メモリ１０１に蓄積されるように構成されているが、コード化された音声データの方が半導体メモリ等に蓄積するには、都合が良い。しかし、必要に応じて復調された音声メッセージ（アナログ信号）を磁気記録装置に記録することもできることは言うまでもない。なお、音声信号３０４の送信については、従来のデジタル無線システムと同じであり、例えば、ＡＲＩＢ  ＳＴＤ  Ｔ６１で定めているものと同じであるので、ここでは説明を省略する。
【００２４】
また、ＬＣＤ表示部９１０に重要度が高い一斉通信であることを知らせるための表示方法として図５に一実施例を示す。図５において、５０１は、重要度が高い一斉通信がない場合の表示画面で、特に、表示はない。５０２は、重要度が高い一斉通信の場合、システム制御部は、ＬＣＤ表示部９１０を制御して「一斉あり」の表示を出す。また、図６は、ＬＥＤ表示部９０９の一実施例を示すもので、ＬＥＤ表示部９０９は、重要度が高い一斉通信である場合、システム制御部９０７は、ＬＥＤ表示部９０９を制御し、ＬＥＤが点滅することにより運用者に「一斉あり」の表示を出す。なお、表示方法は、これらに限られるものではなく種々の方法があることは言うまでもない。また、他にも運用者に対して、例えばブザー部１０３を用いた鳴動や、振動モータ部１０２を用いて振動を与えるなどの方策による聴覚、触覚を利用した報知の仕組みも選べることは言うまでも無い。
【００２５】
以上本発明について詳細に説明したが、本発明は、基地局から重要度が高い一斉通信が行われた時、運用者が何らかの理由により音声を聞くことが出来なかった時や、通話の途中から聞いた運用者は、上述したこれらの報知の方法の何れかにより、重要度が高い一斉通信音声の一部、または全てを聞いていないことを認識し、キー入力部９０８からシステム制御部９０７へ音声メモリ１０１に蓄積された音声の再生を要求することができる。システム制御部９０７は、運用者が操作したキー入力部９０８からの情報が音声メモリ１０１の蓄積音声の再生要求である時、チャネルコーデック部９０４に対して音声メモリ１０１に蓄積した音声データを音声コーデック部９０５に対して出力するように指示する。指示を受けたチャネルコーデック部９０５は、音声メモリ１０１から音声データを読み出し、音声コーデック部９０５に出力し、音声に復号されて、音声入出力部９０６へ出力され、音声入出力部９０６から音声として出力されることにより、音声を確認することができる。
【００２６】
一方、基地局からの音声通信で基地局側で重要の指定をしていない音声は、従来のシステムと同じく再生され、音声の蓄積は行われない。
【００２７】
以上、本発明について詳細に説明したが、本発明は、ここに記載されたデジタル無線システムおよびデジタル無線機の実施例に限定されるものではなく、上記以外のデジタル無線システムおよびデジタル無線機に広く適応することが出来ることは、言うまでも無い。
【００２８】
【発明の効果】
以上詳述したように本発明のデジタル無線機は、基地局から重要度が高い一斉通信が行われた時、一斉通信の内容を記録し、運用者が何らかの理由により音声を聞くことが出来なかった場合や、通話の途中から聞いた場合等に一斉通信の音声を再度再生する手段を有することにより、音声の聞き逃しを補うことができるので、極めて信頼性の高いデジタル無線システムおよびデジタル無線機を提供することができる。
【図面の簡単な説明】
【図１】本発明の一実施例の概略構成を示すブロック図である。
【図２】本発明の一実施例の基地局の制御卓の概略構成を示す図である。
【図３】本発明の一実施例の動作を説明するための図である。
【図４】本発明に使用される同期信号のフレーム構成を示す図である。
【図５】本発明の表示方法の一実施例を示す図である。
【図６】本発明の他の表示方法の一実施例を示す図である。
【図７】本発明の通信システムの一実施例を示す図である。
【図８】本発明において使用される周波数帯域を説明するための図である。
【図９】従来のデジタル無線機の一例を示すブロック図である。
【符号の説明】
１０１：音声メモリ、１０２：振動モータ部、１０３：ブザー部、２０１：基地局制御卓、２０２：非重要ボタン、２０３：重要ボタン、２０４：一斉ボタン、２０５：ＰＴＴボタン、２０６：マイク、３０１：空線信号、３０２：同期信号、３０４：音声信号、７０１：基地局、Ｍ１、ｍ１：移動局、９０１：アンテナ、９０２：ＲＦ部、９０３：変復調部、９０４：チャネルコーデック、９０５：音声コーデック、９０６：音声入出力部、９０７：システム制御部、９０８：キー入力部、９０９：ＬＥＤ表示部、９１０：ＬＣＤ表示部。
【図１】
2005057364.tif 000003
【図２】
2005057364.tif 000004
【図３】
2005057364.tif 000005
【図４】
2005057364.tif 000006
【図５】
2005057364.tif 000007
【図６】
2005057364.tif 000008
【図７】
2005057364.tif 000009
【図８】
2005057364.tif 000010
【図９】
2005057364.tif 000011